(57)【要約】【課題】  成人用洋式水洗便器に興味を示し始める年齢の幼児に、それを安全に利用させながら排泄躾を図ろうとする際、便座への昇降を助けたり、体勢の安定を保つ目的のステップと掴まり把手を、Ｕ字形ベース板上に一体構造化して設けた、幼児用トイレヘルパーを提供する。【解決手段】  幼児の便座への昇降を助けるために、便器の両側腰部に雲形状をしたステップを設けるとともに、身体の移動や便座へ腰を下ろした際に体勢の安定を図るため、前面にワンタッチ操作で便座の上方にも下方にも伸縮固定出来る掴まり把手を設けることで、成人が利用しようとする際の煩わしさの排除も考慮した構造で実現させる。加えて多様な洋式水洗便器に対しても構造体の据え付け安定の汎用性を図るため、ベース板は大きくＵ字形に切り込んだ形状とし、アジャスター金具と挟み付けパットをスライドレール構造で取付けた、幼児用トイレヘルパーを実現する。【選択図】  図１
2007105409.tif 000002
【特許請求の範囲】
【請求項１】
幼児が使用する際には、便座への昇降動作を助けるステップを洋式水洗便器の腰部分の両側に、便座の前面にはワンタッチ操作で上下に伸縮も固定もできる掴まり把手を、Ｕ字形ベース板上に一体構造化して設けた、幼児用トイレヘルパー。
【請求項２】
多様な型式の洋式水洗便器への据え付け状態を安定させるため、スライドレール構造取り付けにしたアジャスター金具と挟み付けパットを便器両側に位置する相対枠板に設け、ベース板はＵ字形に深く切り込む形状にすることで、ステップや掴まり把手の便座に対する位置調節を容易にした、請求項１の幼児用トイレヘルパー。
【発明の詳細な説明】
【技術分野】
【０００１】  本発明は洋式水洗便器に興味を示し始める幼児（２歳〜４歳）に、それを利用させながら排泄躾を図る際、便座への昇降を助けたり体勢の安定を保つためのステップと掴まり把手を一体構造化させた、幼児用トイレヘルパーに関するものである。
【背景技術】
【０００２】  おむつが外れ始める幼児期の排泄習慣付けには、一般的にオマルが利用されているが、使用後の清掃や衛生管理にかなりの手間を要している。又成長に合わせてそのオマルを成人用洋式水洗便器の便座に組み合わせて利用する方式のものもあるが、成人が利用の際は、それの取り外しや移動を要している。洋式水洗便器そのものを親の手助けなく、幼児に安全に利用させる補助具で技術的に開発されたものがない。【０００３】  幼児も２歳前後になり、洋式水洗便器の便座に跨れるようになると成人用洋式水洗便器に興味を持つようになるが、身体的運動能力からしても親の手助けなしでは利用することは出来ない。それをさせるためには便座への昇降を助けるもの、又便座に腰を下ろす際にも体勢の安定を保つため掴まるようなものが必要であるが、技術的に開発されたものがない。
【発明の開示】
【発明が解決しようとする課題】
【０００４】  （イ）幼児に成人用便座をそのまま利用させるため、幼児には高過ぎる便座への昇降及びその際の体勢の安定を図ることが出来るステップや掴まり個所を設けた簡易な一体構造体とすることが課題である。
（ロ）幼児が利用しやすい構造体とすることで、成人が利用しようとする際に、その構造体をその都度、取り外したり、移動したりすることを必要とせず、ワンタッチ操作によって支障なく利用出来るようにすることが課題である。
（ハ）成人用洋式水洗便器の型式は多種あるので、どのような型式の便器、便座にも簡易な調節だけでセッティング出来る汎用性のある据付固定法を有した構造体とすることが課題である。
本発明は上記の課題を解決するためになされた、幼児用トイレヘルパーである。
【課題を解決するための手段】
【０００５】  （イ）幼児の便座への昇降を助けるため、便器の両側に雲形状をしたステップを設けるとともに、前面には身体の移動や便座へ腰を下ろした際に体勢の安定を図る掴まり把手を設けた、一体構造の幼児用トイレヘルパーである。
（ロ）雲形状ステップは、便座下の便器腰部に納まるように設けるとともに、前面に設ける掴まり把手は、ワンタッチ操作で便座の上にも下にも伸縮固定を可能とした構造とすることで、成人が利用する際も取り外し移動を不要とした幼児用トイレヘルパーである。
（ハ）便器の腰部を囲う形になる両側の相対枠板の奥端にアジャスター金具と挟み付けパットをスライドレール構造で取付けることで、挟み付け位置を前後調節可能とするとともに、ベース板はＵ字状に深く切り込む形状とすることで、各種の洋式水洗便器に対して据え付けの汎用性が高まり、安定して固定できるようにした幼児用トイレヘルパーである。
【発明の効果】
【０００６】  （イ）発明の幼児用トイレヘルパーは、上記の課題解決手段を実現することにより、育児期にある家庭の多様な型式の洋式水洗便器に簡易に設置できるようになり、幼児に早い時期から成人用洋式水洗便器を利用しての排泄躾を効果的にすることが出来るようになる。
（ロ）オマルを使う期間を短縮して幼児用トイレヘルパーに切り替え、慣れさせれば幼児が一人で自主的に便座に昇降して用足しすることができるようにもなり、育児期の多忙な母親の労働力軽減にもつなげることが出来る。
【発明を実施するための最良の形態】
【０００７】  以下、本発明の実施の形態を図面に基づき説明する。まず部材の材質面において、本発明品は利活用期間が幼児期の２〜３年という限定性から、取扱いや処理が簡便である必要があり、パイプ構造部分など強度を要する部分以外は、木製または再生プラスチック材を利用しての加工でも有意義である。構造体の重量も３Ｋｇ以下が望ましい。掴まり把手を支える２本の上下伸縮パイプはステンレスパイプ程度の強度を、それを貫通させて支える支持固定パイプはアルミニュームパイプや塩化ビニルパイプの強度で十分である。【０００８】  図１は本発明の幼児用トイレヘルパーの設置状態を示す斜視図である。図１に示すように幼児用トイレヘルパーは、洋式水洗便器の便座下の便器腰部に抱きつくように据え付けられるので、その状態は成人が便座に腰を下ろした時、支障とならぬように便器の腰の陰に納まるのが望ましい。構造体を支えるベース板１９はＵ字形に深く切り込んだ形状とし、アジャスター金具の挟み付けパット２２で両側から陶製便器を挟み込めるようにする。【０００９】  平均的に洋式水洗便器の便座の床上高は４１ｃｍであるので、幼児が便座に跨った姿勢の安定性を勘案すると昇降ステップ１３は床上高２２ｃｍとし、掴まり把手１０は上方に引き上げ固定した状態では便座レベルより１０ｃｍ高く、下方に下げて収納した時は便座レベルより６ｃｍ下がるよう、伸縮パイプ１１と支持固定パイプ１２を調整する。【００１０】  掴まり把手１０の形状は、本発明品では湾曲状をした木塊としているが、この形状に限定するものではなく、把手の上下伸縮スペースを適切に占有する形状のものであれば、幼児が掴まり易いメガネ形状とか、アニメ模擬形状など、また音声再生装置組み込形状でもよく、衛生面を担保できる材質のものならよい。この把手を支える伸縮パイプ１１は、外径がΦ１６ｍｍのステンレスパイプ２本を７０ｍｍ隔てて把手に固定し、これを内径がΦ１７ｍｍ、Ｌ＝３０ｃｍの支持固定パイプの中に貫通させて、それをパイプ固定桁１７とパイプ固定ベース１８で支持する。【００１１】  パイプ固定桁１７は支持固定パイプ１２を貫通させて固定するとともに、前面中央部に伸縮パイプストッパー金具１４を取り付け、それがパイプ固定桁に埋め込まれた圧縮コイルばねの力によって、所定のパイプ穴にストッパーピンが抜き挿し出来る構造とすることで、伸縮パイプ１１の上下移動を固定したり、操作リング３０を手前に引く操作で解放したり出来るようにする。【００１２】  図２は洋式水洗便器の便座輪郭線、便器縁輪郭線、便器床面据付輪郭線、の相対位置に対して幼児用トイレヘルパーの平面図を示したもので、構造体の底板となるＵ字形ベース板１９は各種の洋式水洗便器に対応して床面据付部を的確に挟み込むため、Ｕ字形の開口部で２６ｃｍ，底幅で２０ｃｍ，前後切込長２８ｃｍの深切り込みの形状にする。【００１３】  雲形状の昇降ステップ１３は相対枠板１５とステップ支持板１６で，床上高２２ｃｍとなるよう取り付ける。ステップの大きさは幼児の平均的な足裏面積の５倍程度の面積（２８０ｃｍ２）を適切とする。取り付けに当たっては、投影視的に便座輪郭線の内側に４割程度が隠れるように配置する。【００１４】  便座下の便器腰���を囲う形になる相対枠板１５の奥端には、床上高７０ｍｍのレベルで、スライドレール構造取り付けとしたアジャスター金具と挟み付けパット２２を取り付け、それがスライドレール枠２１内を前後に８０ｍｍ調節可能とする事で、各種の洋式水洗便器の床面据付部を的確に締付けハンドル２０の操作で挟み付け固定する。【００１５】  図３は幼児用トイレヘルパーの立面図を示したもので、両側の相対枠板１５を連結する形のパイプ固定桁１７とパイプ固定ベース１８に支えられた支持固定パイプ１２から、伸縮パイプ１１が引き伸ばされた状態では、掴まり把手の上端は便座レベルより１０ｃｍ高くなり、押し下げて収納した状態では便座レベルより６ｃｍ低くなる。【００１６】  伸縮パイプ１１の固定・解放の方法は、この構造原理に限定するものでないが、本発明品では、パイプ固定桁１７に伸縮パイプストッパー金具１４を組み込み、その金具を圧縮コイルばねの力によって引きつけた状態にしておくことで、ストッパー金具１４に取付けられている２本のストッパーピン３１は、伸縮パイプ１１に開けられた所定の穴に挿入され把手は固定される。操作リング３０を前方に少し引くワンタッチ操作でピンが穴から外れ、掴まり把手は下がって収納した状態となる。【００１７】  雲形状の昇降ステップ１３を支えるステップ支持板１６は、ステップ板に接する部分とベース板に接する部分の長さを変え、１８ｍｍ厚の板材を橋脚形状にカットするが、相対枠板１５と直角連結させることで構造体全体の剛性は高まり、ステップの支持強度も確保出来るし、Ｕ字形ベース板１９のコンパクト化も図る。【００１８】  図４は幼児用トイレヘルパーの側面図を示したもので、本発明品が多様な型式の洋式水洗便器にも、汎用性をもって腰の部分にはまり込むように据え付けられる状態を示す。その際の昇降ステップ１３の前後位置や掴まり把手１０の上下位置は、成人が腰を下ろした利用姿勢をとっても本発明品の設置が支障になることはない。【００１９】  相対枠板１５は１８ｍｍ×２００ｍｍ×３４０ｍｍの矩形板材の不必要部分を出来るだけカットした形状とし、強度と安定性を損なわない範囲で重量の軽減を図る。その奥端にアジャスター金具を床上高７０ｍｍのレベルにスライドレール構造で取り付け、洋式水洗便器の型式に違いがあっても床面据付部へ挟み付けパットが的確に当たるようアジャストボルトがスライドレール枠２１内を左右に８０ｍｍ移動調節できるようにする。【００２０】  図５（イ）は伸縮パイプストッパー金具の詳細図を示したものである。（ロ）図は（イ）図上のＡ〜Ａ’部分の断面図を示し、伸縮パイプストッパー金具１４に設けたストッパーピン３１が固定パイプ１２を貫通して伸縮パイプ１１を固定した状態図である。（ハ）図は（イ）図上のＢ〜Ｂ’部分の断面図を示し、伸縮パイプストッパー金具１４がパイプ固定桁１７にストッパー支持ボルト３３（Φ５．５ｍｍ，Ｌ＝６５ｍｍ）と圧縮コイルばね３２で組み込まれた状態図である。【００２１】  支持固定パイプ１２に対して伸縮パイプ１１の引き伸ばし固定、押し下げ収納は伸縮パイプストッパー金具１４にある操作リング３０によるが、ストッパー金具に取り付けた２本のストッパーピン３１が圧縮コイルばね３��の力で、支持固定パイプを貫通して伸縮パイプの所定の位置に開けられた穴に挿入され固定している。操作リング３０を手前に軽く引けば２本のストッパーピン３１は貫通している穴から抜けて伸縮パイプ１１は下がり収納される。【００２２】  図６はアジャスター金具の詳細図を示したものである。相対枠板１５の奥端に床上高７０ｍｍのレベルで相対枠板１５に貫通長溝を彫り、スライドレール枠２１の中を，ボルト角受けナット２４が左右に滑る構造にして、そのボルト角受けナットにはアジャストボルト２３（Φ８ｍｍ，Ｌ＝１０ｃｍ）を通し、その先端には挟み付けパット２２を、もう一方には締付けハンドル２０を取りつける。【００２３】  スライドレール枠２１を通して取り付けられた、アジャストボルト２３先端の挟み付けパット２２は、便器の陶器面に接するので、滑りにくいゴム材質のパットを選び、多様な洋式水洗便器の床面据付部の陶器面を的確にとらえるよう、ボルト位置を左右にスライドレール枠内で調整して、手元の締付けハンドルを操作して左右からしっかりと挟み付け固定することで、昇降ステップ１３や掴まり把手１０も所定の状態に安定化する。
【産業上の利用可能性】
【００２４】  本発明品は、育児用品の一つとして、幼児を抱える一般家庭内で子供の排泄習慣に自主性を芽生えさせ、躾る補助具として利用価値が高いと考えている。幼児の排泄世話に対する母親の労力軽減は、少子化対策にもつながると思う。大中規模の保育園では幼児専用的に製作された水洗便器が常設されていて、それにより幼児は訓練されていくが、一般家庭内ではオマルと洋式水洗便器の間をつなぐ、親の手を煩わせない適切な訓練補助具がなかった。また幼児を主対象としない公的施設などではもちろん、私的で小規模な保育施設では一般的に幼児専用便器を備えるのは難しいことから、本発明品が特定時使用備品として利用される機会も多いと考える。
【図面の簡単な説明】
【００２５】
【図１】図１は本発明品の設置状態を示す斜視図で、洋式水洗便器の腰の部分に据え付けられた状態を示した。
【図２】図２は本発明品の平面図で、便座輪郭線に対する納まり具合を示す。
【図３】図３は本発明品の立面図で、昇降ステップや掴まり把手の上下伸縮位置状況を示した。
【図４】図４は本発明品の側面図で、便器の腰の部分への納まり状況とアジャスター金具の取り付け位置を示した。
【図５】図５は本発明品の部分図であり、（イ）図はパイプ固定桁に組み込んだ、伸縮パイプストッパー金具の全体詳細図である。（ロ）図は（イ）図の中に示すＡ〜Ａ’部分の断面図であり、（ハ）図は（イ）図の中に示すＢ〜Ｂ’部分の断面図を示した。
【図６】図６も本発明品の部分図であり、両側の相対枠板の奥端に取り付けるアジャスター金具と挟み付けパットの全体詳細図である。
【符号の説明】
【００２６】  １０・・・掴まり把手
１１・・・伸縮パイプ
１２・・・支持固定パイプ
１３・・・昇降ステップ
１４・・・伸縮パイプストッパー金具
１５・・・相対枠板
１６・・・ステップ支持板
１７・・・パイプ固定桁
１８・・・パイプ固定ベース
１９・・・ベース板
２０・・・締付けハンドル
２１・・・スライドレール枠
２２・・・挟み付けパット
２３・・・アジャストボルト
２４・・・ボルト角受けナット
３０・・・操作リング
３１・・・ストッパーピン
３２・・・圧縮コイルばね
３３・・・ストッパー支持ボルト
【図１】
2007105409.tif 000003
【図２】
2007105409.tif 000004
【図３】
2007105409.tif 000005
【図４】
2007105409.tif 000006
【図５】
2007105409.tif 000007
【図６】
2007105409.tif 000008